(57)【要約】【課題】ユーザが既存のコンテンツを共有しなくともオリジナルのコンテンツのみを共有することで、既存のコンテンツを含む全体のコンテンツを共有することができるコンテンツ共有方法およびコンテンツ共有システムを提供することを目的とする。【解決手段】  コンテンツ共有方法は、第１コンテンツを取得する第１取得ステップと、第１共有サーバに記憶され第１コンテンツと組み合わせて使用される第２コンテンツを通信ネットワークを介して取得する第２取得ステップと、第１コンテンツと第２コンテンツとを組み合わせて再生する再生ステップとを備える。【選択図】  図１
2020017168.tif 000002
【特許請求の範囲】
【請求項１】
第１コンテンツを取得する第１取得ステップと、
第１共有サーバに記憶され前記第１コンテンツと組み合わせて使用される第２コンテンツを通信ネットワークを介して取得する第２取得ステップと、
前記第１コンテンツと前記第２コンテンツとを組み合わせて再生する再生ステップと
を備えることを特徴とするコンテンツ共有方法。
【請求項２】
第１コンテンツを取得する第１取得ステップと、
前記第１コンテンツと組み合わせて使用される第２コンテンツを通信ネットワークを介して第１共有サーバに送出する送出ステップと
を備え、
前記第２コンテンツには、前記第１コンテンツを特定可能な情報が含まれる
ことを特徴とするコンテンツ共有方法。
【請求項３】
請求項１または請求項２に記載のコンテンツ共有方法において、
前記第１取得ステップでは、前記第１共有サーバに記憶されている前記第１コンテンツを通信ネットワークを介して取得することを特徴とするコンテンツ共有方法。
【請求項４】
請求項１または請求項２に記載のコンテンツ共有方法において、
前記第１取得ステップでは、前記第１共有サーバとは異なる第２共有サーバに記憶されている前記第１コンテンツを通信ネットワークを介して取得することを特徴とするコンテンツ共有方法。
【請求項５】
請求項１に記載のコンテンツ共有方法において、
前記再生ステップでは、情報端末装置によって前記第１コンテンツと前記第２コンテンツとが組み合わせて再生され、
前記第１取得ステップでは、前記第１コンテンツは前記情報端末装置が有する記憶装置から取得される
ことを特徴とするコンテンツ共有方法。
【請求項６】
請求項２に記載のコンテンツ共有方法において、
前記送出ステップでは、情報端末装置によって前記第２コンテンツが前記第１共有サーバに送出され、
前記第１取得ステップでは、前記第１コンテンツは、前記情報端末装置が有する記憶装置から取得される
ことを特徴とするコンテンツ共有方法。
【請求項７】
請求項１から請求項６のいずれか１項に記載のコンテンツ共有方法において
前記第１コンテンツと前記第２コンテンツとは、互いに感覚モダリティが異なる情報を含むことを特徴とするコンテンツ共有方法。
【請求項８】
第１情報端末装置と、第２情報端末装置と、第１共有サーバとが通信ネットワークを介して互いに接続されているコンテンツ共有システムであって、
前記第１情報端末装置は、
第１コンテンツを取得する第１取得部と、
前記第１コンテンツと組み合わせて使用される第２コンテンツを前記第１共有サーバに送出する送出部と、
を有し、
前記第１共有サーバは、
前記第１情報端末装置から送出された前記第１コンテンツを記憶する記憶部を有し、
前記第１情報端末装置および前記第２情報端末装置から通信ネットワークを介してアクセス可能であり、
前記第２情報端末装置は、
前記第１コンテンツを取得する第２取得部と、
前記第１共有サーバの前記記憶部に記憶されている前記第２コンテンツを通信ネットワークを介して取得する第３取得部と、
前記第１コンテンツと前記第２コンテンツとを組み合わせて再生する再生部と
を有する
ことを特徴とするコンテンツ共有システム。
【発明の詳細な説明】
【技術分野】
【０００１】
本発明は、コンテンツ共有方法およびコンテンツ共有システムに関する。
【背景技術】
【０００２】
近年、コンテンツ共有手段およびコンテンツ作製手段の発達により、プロだけではなく一般ユーザ自身もコンテンツを作製し、ネットワーク上で共有することが日常的になっている。一方で、ユーザがコンテンツを作製する際に、他者が作製した既存のコンテンツを活用して新たなコンテンツを作製し、それを共有するためには、他者が作製した既存のコンテンツを共有する必要があった。
【０００３】
例えば、ユーザがアーティストの楽曲（既存のコンテンツ）にオリジナルのダンス動画（オリジナルのコンテンツ）を付け加えて１つの動画コンテンツとして、例えば、ネットワーク上で共有する場合、ユーザがオリジナルとして作製したダンス動画だけでなく、アーティストの楽曲も共有することになってしまっていた。
【０００４】
次世代のコンテンツ要素として期待されている触覚（非特許文献１参照）も、現状では既存のコンテンツのユーザ体験を高めることに活用されようとしている。そのため、既存のコンテンツと合わせた利用が想定される。現状では、オリジナルのコンテンツとして作製した触覚を含むコンテンツをユーザがネットワーク上で共有する際には、他者が作製した既存のコンテンツも共有しなければ一つのコンテンツとして成立しない場合がある。
【先行技術文献】
【非特許文献】
【０００５】
【非特許文献１】梶本他，“額に装着する電気触覚ディスプレイ”，日本バーチャルリアリティ学会第１１回大会論文集，ｐｐ．１−４，２００６
【発明の概要】
【発明が解決しようとする課題】
【０００６】
本発明は、上述した課題を解決するためになされたものであり、ユーザが既存のコンテンツを共有しなくともオリジナルのコンテンツのみを共有することで、既存のコンテンツを含む全体のコンテンツを共有することができるコンテンツ共有方法およびコンテンツ共有システムを提供することを目的とする。
【課題を解決するための手段】
【０００７】
上述した課題を解決するために、本発明に係るコンテンツ共有方法は、第１コンテンツを取得する第１取得ステップと、第１共有サーバに記憶され前記第１コンテンツと組み合わせて使用される第２コンテンツを通信ネットワークを介して取得する第２取得ステップと、前記第１コンテンツと前記第２コンテンツとを組み合わせて再生する再生ステップとを備えることを特徴とする。
【０００８】
また、本発明に係るコンテンツ共有方法において、第１コンテンツを取得する第１取得ステップと、前記第１コンテンツと組み合わせて使用される第２コンテンツを通信ネットワークを介して第１共有サーバに送出する送出ステップとを備え、前記第２コンテンツには、前記第１コンテンツを特定可能な情報が含まれることを特徴とする。
【０００９】
また、本発明に係るコンテンツ共有方法において、前記第１取得ステップでは、前記第１共有サーバに記憶されている前記第１コンテンツを通信ネットワークを介して取得してもよい。
【００１０】
また、本発明に係るコンテンツ共有方法において、前記第１取得ステップでは、前記第１共有サーバとは異なる第２共有サーバに記憶されている前記第１コンテンツを通信ネットワークを介して取得してもよい。
【００１１】
また、本発明に係るコンテンツ共有方法において、前記再生ステップでは、情報端末装置によって前記第１コンテンツと前記第２コンテンツとが組み合わせて再生され、前記第１取得ステップでは、前記第１コンテンツは前記情報端末装置が有する記憶装置から取得されてもよい。
【００１２】
また、本発明に係るコンテンツ共有方法において、前記送出ステップでは、情報端末装置によって前記第２コンテンツが前記第１共有サーバに送出され、前記第１取得ステップでは、前記第１コンテンツは、前記情報端末装置が有する記憶装置から取得されてもよい。
【００１３】
また、本発明に係るコンテンツ共有方法において、前記第１コンテンツと前記第２コンテンツとは、互いに感覚モダリティが異なる情報を含んでいてもよい。
【００１４】
また、本発明に係るコンテンツ共有システムは、第１情報端末装置と、第２情報端末装置と、第１共有サーバとが通信ネットワークを介して互いに接続されているコンテンツ共有システムであって、前記第１情報端末装置は、第１コンテンツを取得する第１取得部と、前記第１コンテンツと組み合わせて使用される第２コンテンツを前記第１共有サーバに送出する送出部と、を有し、前記第１共有サーバは、前記第１情報端末装置から送出された前記第１コンテンツを記憶する記憶部を有し、前記第１情報端末装置および前記第２情報端末装置から通信ネットワークを介してアクセス可能であり、前記第２情報端末装置は、前記第１コンテンツを取得する第２取得部と、前記第１共有サーバの前記記憶部に記憶されている前記第２コンテンツを通信ネットワークを介して取得する第３取得部と、前記第１コンテンツと前記第２コンテンツとを組み合わせて再生する再生部とを有することを特徴とする。
【発明の効果】
【００１５】
本発明によれば、共有サーバに記憶され、第１コンテンツと組み合わせて使用される第２コンテンツが通信ネットワークを介して取得され、第１コンテンツと第２コンテンツとが組み合わせて再生される。そのため、ユーザが既存のコンテンツを共有しなくともオリジナルのコンテンツのみを共有することで、既存のコンテンツを含む全体のコンテンツを共有することができる。
【図面の簡単な説明】
【００１６】
【図１】図１は、本発明に係るコンテンツ共有システムの概要を説明するブロック図である。
【図２】図２は、本発明の第１の実施の形態に係るコンテンツ共有システムの概要を説明するブロック図である。
【図３】図３は、本発明の第１の実施の形態に係る情報端末装置の構成を示すブロック図である。
【図４】図４は、本発明の第１の実施の形態に係る共有サーバの構成を示すブロック図である。
【図５】図５は、本発明の第１の実施の形態に係るコンテンツ共有システムの動作を説明するシーケンス図である。
【図６】図６は、本発明の第２の実施の形態に係るコンテンツ共有システムの概要を説明するブロック図である。
【図７】図７は、本発明の第２の実施の形態に係るコンテンツ共有システムの動作を説明するシーケンス図である。
【発明を実施するための形態】
【００１７】
以下、本発明の好適な実施の形態について、図１から図７を参照して詳細に説明する。
【００１８】
［発明の概要］
まず、本発明に係るコンテンツ共有システムの概要について図１を参照して説明する。コンテンツ共有システムは、ネットワーク上で構築される。図１に示すように、既存コンテンツである第１コンテンツと組み合わせて使用される新たな作品である第２コンテンツがユーザＡ側で作製されて共有サーバにおいてネットワーク上で共有（公に公開）される。そして、他のユーザ、例えばユーザＢによって第２コンテンツおよび第１コンテンツがそれぞれ別々に取得され、ユーザＢ側で第１コンテンツと第２コンテンツとが組み合わせて再生できるように構成されている。
【００１９】
より詳細には、ユーザＡ側の情報端末装置から共有サーバにアップロードされ一般に公開された第２コンテンツは、再生者であるユーザＢによって、ユーザＢ側の情報端末装置において共有サーバから第２コンテンツがダウンロードまたはストリーミングされる。また、ユーザＢ側の情報端末装置において第１コンテンツを外部または自装置の記憶装置から取得して、第１コンテンツと第２コンテンツとを組み合わせて全体として一つのコンテンツとして再生する。
【００２０】
第１コンテンツは、すでに頒布等されている既存のコンテンツであり、例えば、映像や音楽などのデジタルコンテンツである。第２コンテンツは、例えば、第１コンテンツと連動するように構成されたコンテンツであり、人が認知できる情報、例えば、触覚、嗅覚、視覚、味覚、聴覚などの情報によって構成される。第２コンテンツは、第１コンテンツと組み合わせて再生されることで全体として一つのコンテンツとして成立する。
【００２１】
［第１の実施の形態］
図２は、本発明の第１の実施の形態に係るコンテンツ共有システムの構成を示すブロック図である。本実施の形態に係るコンテンツ共有システムにおいては、予めユーザＣ側の情報端末装置１Ｃによって既存のコンテンツである第１コンテンツが共有サーバ２にアップロードされて一般公開、すなわち共有されている。しがたって、第１コンテンツは、ユーザＡ〜Ｃが共有サーバ２にアクセスして取得することが可能である。
【００２２】
ユーザＡ側の情報端末装置１Ａは、共有サーバ２から第１コンテンツをダウンロードなどにより取得する。ユーザＡは、取得した第１コンテンツと組み合わせて使用される第２コンテンツを作製する。その後、情報端末装置１Ａは作製された第２コンテンツを共有サーバ２にアップロードする。
【００２３】
そして、ユーザＢ側の情報端末装置１Ｂは、共有サーバ２にアクセスし、第１コンテンツと第２コンテンツをそれぞれダウンロードなど行って取得する。情報端末装置１Ｂは、取得した第１コンテンツと第２コンテンツとを組み合わせて全体として一つのコンテンツとして再生する。
【００２４】
本実施の形態では、第１コンテンツは、動画などの映像データであり、第２コンテンツは、映像データの第１コンテンツに連動させた触覚データのコンテンツである場合について説明する。第２コンテンツを構成する触覚コンテンツは、機械的な振動や、所定の周波数を有する弱電流などの電気刺激、圧力刺激などを用いて人間の触覚に働きかけるコンテンツである。例えば、花火の映像である第１コンテンツに合わせてユーザに力、振動、動きなどを提示することで、花火の破裂する瞬間を視覚や聴覚だけでなく触覚でも感じ取ることができる。
【００２５】
［情報端末装置の構成］
次に、図２に示すユーザＡ〜Ｂがそれぞれ用いる情報端末装置１Ａ〜１Ｃ（以下、これらを総称して情報端末装置１ということがある。）の構成について説明する。
【００２６】
情報端末装置１は、スマートフォンやＰＣ、タブレット端末などによって実現される。情報端末装置１は、制御部１０、通信部１１、取得部１２、送出部１３、記憶部１４、提示部１５、および入力部１６を備える。
【００２７】
制御部１０は、ＣＰＵなどのプロセッサと、ＲＯＭ、ＲＡＭ、およびフラッシュメモリなどの記憶媒体とによって実現され、この記憶媒体または外部記憶装置に格納されているプログラムに従って各種データ処理を実行する。より詳細には、制御部１０は、ソーシャルメディアウェブサイトなどに関連付けられたアプリケーションソフトウェアを実行する。また、制御部１０は、コンテンツファイルを生成、格納、および再生することが可能である。
【００２８】
通信部１１は、情報端末装置１と各種外部電子機器との間を通信ネットワークにて接続するための制御装置により構成される。
【００２９】
取得部１２は、通信部１１を介して共有サーバ２との間で第１コンテンツや第２コンテンツを取得する。より詳細には、取得部１２は、制御部１０の指示に基づいて共有サーバ２のコンテンツダウンロードサイトにアクセスする。例えば、ユーザＡは、第１コンテントを検索し、この検索した第１コンテンツをダウンロードさせるための操作をアプリケーションソフトウェアの操作により行う。この操作に応じて、取得部１２は、共有サーバ２に対してダウンロード要求を送信する。取得部１２は、共有サーバ２からダウンロード要求と共に指定した第１コンテンツのデータを受信する。なお、取得部１２は、第１コンテンツや第２コンテンツのファイルが容量単位に分割されたストリーミング再生用のデータを取得してもよい。
【００３０】
送出部１３は、通信部１１を介して共有サーバ２に第１コンテンツや第２コンテンツを送出する。より詳細には、送出部１３は、制御部１０の指示に基づいて共有サーバ２のコンテンツアップロードサイトにアクセスする。例えば、ユーザＡは、記憶部１４に記憶されている自身が作製した第２コンテンツのファイルを共有サーバ２にアップロードする。また、このときアップロードする第２コンテンツのファイルには、第２コンテンツが第１コンテンツに対応することを示す情報が含まれる。例えば、第２コンテンツのファイルに対して第１コンテンツが特定可能な識別情報や第１コンテンツが共有されているＵＲＬなどが設定される。
【００３１】
記憶部１４は、読み書き可能な記憶媒体と、その記憶媒体に対してプログラムやデータなどの各種情報を読み書きするための駆動装置とで構成されている。記憶部１４は、記憶媒体としてフラッシュメモリなどの半導体メモリを使用することができる。記憶部１４は、取得部１２によって取得された第１コンテンツや第２コンテンツを記憶する。
【００３２】
提示部１５は、視覚データ、聴覚データ、および触覚データを再生することができる再生手段である。提示部１５は、例えば、視覚データを再生する液晶ディスプレイなどの表示画面、聴覚データを再生するスピーカ、および触覚データを再生するアクチュエータや電極によって実現される。なお、提示部１５における触覚データを再生する手段は、少なくとも再生者であるユーザＢ側の情報端末装置１Ｂに含まれている。
【００３３】
入力部１６は、文字入力キーやタッチパネルなどにより実現される。入力部１６は、提示部１５の表示画面に表示されるアプレイケーションソフトウェアに対する操作入力を受け付ける。
【００３４】
［共有サーバの構成］
次に、図４に示す共有サーバ２の構成について説明する。
共有サーバ２は、種々のコンテンツをインターネットなどの通信ネットワークを介して多人数で共有することが可能とするネットワーク上に構築されたコンテンツ共有手段である。共有サーバ２の例として、音楽や動画の共有サイトであるＹｏｕｔｕｂｅ（登録商標）、写真や動画の共有サイトであるＩｎｓｔａｇｒａｍ（登録商標）などのソーシャルメディアウェブサイトが挙げられる。
【００３５】
共有サーバ２は、情報端末装置１Ｃからアップロードされた第１コンテンツおよび情報端末装置１Ａからアップロードされた第２コンテンツを受信し、これらのデータをデータベースやディレクトリに格納する。また、共有サーバ２は、ユーザＢの情報端末装置１Ｂから送信されたコンテンツの要求を通信ネットワークを介して受信する。
【００３６】
図４に示すように、共有サーバ２は、制御部２０、通信部２１、コンテンツ管理部２２、および記憶部２３を備える。
【００３７】
制御部２０は、ＣＰＵなどのプロセッサと、ＲＯＭ、ＲＡＭ、およびフラッシュメモリなどの記憶媒体とによって実現され、この記憶媒体または外部記憶装置に格納されているプログラムに従って各種データ処理を実行する。
【００３８】
通信部２１は、共有サーバ２と各種外部電子機器との間を通信ネットワークにて接続するための制御装置により構成される。
【００３９】
コンテンツ管理部２２は、記憶部２３における第１コンテンツや第２コンテンツなどのコンテンツの管理を行う。例えば、第２コンテンツが情報端末装置１Ａからアップロードされた場合に、記憶部２３に対して、アップロードされてきた第２コンテンツを登録する。また、コンテンツ管理部２２は、第２コンテンツが第１コンテンツに対応することを示す情報を記憶部２３に記憶されている第２コンテンツと関連付けて記憶する。
【００４０】
記憶部２３は、例えば、ＨＤＤなどを備えて構成され、アップロードされた第１コンテンツおよび第２コンテンツを記憶する。
【００４１】
［コンテンツ共有システムの動作シーケンス］
次に、上述した構成を有する情報端末装置１Ａ〜１Ｃ、共有サーバ２、および通信ネットワークで構成されるコンテンツ共有システムの動作シーケンスについて図５を参照して説明する。
【００４２】
まず、前提として、共有サーバ２には、ユーザＣの情報端末装置１Ｃから映像データの第１コンテンツがアップロードされて、共有サーバ２に記憶されている（ステップＳ１００）。共有サーバ２に記憶されている第１コンテンツは、ネットワーク上で共有され、いずれのユーザからもアクセス可能である。その後、ユーザＡ側の情報端末装置１Ａは、通信ネットワークを介して、共有サーバ２に対して第１コンテンツを要求する（ステップＳ１０１）。
【００４３】
例えば、情報端末装置１Ａから送信された第１コンテンツの検索指示に応じて、共有サーバ２の制御部２０は、記憶部２３に記憶されている第１コンテンツを取得して読み出し、情報端末装置１Ａに送信する（ステップＳ１０２）。具体的には、ユーザＡ側の情報端末装置１Ａにおいて共有サーバ２から第１コンテンツがダウンロードされる。なお、第１コンテンツはダウンロードではなくストリーミングにより取得されてもよい。
【００４４】
その後、映像データの第１コンテンツと連動する触覚コンテンツの第２コンテンツがユーザＡ側の情報端末装置１Ａによって作製されて記憶部１４に記憶される（ステップＳ１０３）。なお、第２コンテンツには第１コンテンツの識別情報や第１コンテンツが共有されているＵＲＬなどの情報が付加されている。
【００４５】
次に、情報端末装置１Ａは、通信ネットワークを介して共有サーバ２に第２コンテンツをアップロードする（ステップＳ１０４）。次に、共有サーバ２は、アップロードされた第２コンテンツを記憶部２３に記憶する（ステップＳ１０５）。これにより、第２コンテンツはネットワーク上で共有される。
【００４６】
その後、ユーザＢは、情報端末装置１Ｂにおいてインストールされた共有サーバ２のソーシャルメディアウェブサイトと関連付けられたアプリケーションソフトウェアを用いて、共有サーバ２にアクセスして、共有サーバ２に対して第２コンテンツの要求指示を送信する（ステップＳ１０６）。
【００４７】
例えば、ユーザＢは、情報端末装置１Ｂの表示画面に表示されたアプリケーションソフトウェアを操作して、ソーシャルメディアウェブサイト上のコンテンツを閲覧し、「花火の映像  触覚」などの検索条件を入力する。そして、共有サーバ２の制御部２０は、検索条件に基づいたコンテンツの検索を行い、検索結果のリスト表示などを生成し出力する。このとき、情報端末装置１Ｂの表示画面に表示される検索結果としては、第１コンテンツの情報と第２コンテンツの情報がテキストなどで表示されるが、コンテンツのデータとしては、第２コンテンツのデータのみが検索結果の情報に紐づけられて存在する。
【００４８】
次に、共有サーバ２は、情報端末装置１Ｂから送信された第２コンテンツの要求指示に基づいて、第２コンテンツのデータを情報端末装置１Ｂに対して通信ネットワークを介して送信する。すなわち、情報端末装置１Ｂは、第２コンテンツを共有サーバ２からダウンロードする（ステップＳ１０７）。なお、情報端末装置１Ｂは、共有サーバ２からストリーミングにより第２コンテンツを取得してもよい。
【００４９】
情報端末装置１Ｂが共有サーバ２から第２コンテンツをダウンロードすると、第２コンテンツに含まれる第１コンテンツの識別情報に基づいて、共有サーバ２に対して第１コンテンツを要求する（ステップＳ１０８）。その後、情報端末装置１Ｂは、共有サーバ２から通信ネットワークを介して第１コンテンツをダウンロードする（ステップＳ１０９）。なお、情報端末装置１Ｂは、共有サーバ２からストリーミングにより第１コンテンツを取得してもよい。
【００５０】
次に、情報端末装置１Ｂにおいて、第１コンテンツと第２コンテンツとが同時に再生される（ステップＳ１０９）。例えば、共有サーバ２のソーシャルメディアウェブサイトと関連付けられたアプリケーションソフトウェアにおいて、「花火の映像触覚付き」というタイトルのファイルの再生ボタンがユーザＢの操作により押されると、ダウンロードされた第２コンテンツと同時に第１コンテンツの再生が実行される。これにより、情報端末装置１Ｂにおいて映像コンテンツと触覚コンテンツが同時に再生され、ユーザＢは第１コンテンツと第２コンテンツとが一つのコンテンツであるような所望の体験をすることができる。
【００５１】
なお、情報端末装置１Ｂで第１コンテンツと第２コンテンツとが組み合わせて再生される場合に、例えば、第１コンテンツの再生時間、輝度情報、音量などの情報を基準として第２コンテンツとの連動を図ることができる。
【００５２】
以上説明したように、第１の実施の形態に係るコンテンツ共有システムによれば、既存のコンテンツである第１コンテンツに対応する第２コンテンツのデータのみが第２コンテンツを作成したユーザＡ側の情報端末装置１Ａから共有サーバ２にアップロードされネットワーク上で共有される。一方、再生者であるユーザＢにおいては、情報端末装置１Ｂで第１コンテンツと第２コンテンツとがそれぞれ取得され、情報端末装置１Ｂにおいて同時に再生される。
【００５３】
そのため、ユーザＡ側の情報端末装置１Ａにおいては既存の第１コンテンツに第２コンテンツが埋め込まれたようなコンテンツを作製し共有サーバ２にアップロードする処理が必要とされない。ユーザＡ側の情報端末装置１Ａではオリジナルなコンテンツのみをネットワーク上で共有し、一方において、再生者は既存の第１コンテンツとオリジナルの第２コンテンツとが組み合わさったコンテンツを再生することができる。
【００５４】
［第２の実施の形態］
次に、本発明の第２の実施の形態について説明する。なお、以下の説明では、上述した第１の実施の形態と同じ構成については同一の符号を付し、その説明を省略する。
【００５５】
第１の実施の形態では、既存のコンテンツである第１コンテンツが予めユーザＣによって共有サーバ２にアップロードされている場合について説明した。これに対し、第２の実施の形態に係るコンテンツ共有システムでは、第１コンテンツは、共有サーバ２には存在せず、共有サーバ２とは異なる共有サーバ３、４に記憶されている点で第１の実施の形態とは異なる。以下、第１の実施の形態と異なる構成を中心に説明する。
【００５６】
以下において第１コンテンツは、聴覚情報である音楽コンテンツであり、第２コンテンツは、第１コンテンツに連動した触覚コンテンツである場合について説明する。
【００５７】
図６は、第２の実施の形態に係るコンテンツ共有システムの概要を説明する構成図である。図６に示すように、既存のコンテンツである第１コンテンツは、共有サーバ３および共有サーバ４に事前に記憶されている。また、共有サーバ２には、第２コンテンツのみが記憶されている。
【００５８】
ユーザＡ側の情報端末装置１Ａは、共有サーバ３から通信ネットワークを介して第１コンテンツをダウンロードする。ユーザＡは第１コンテンツに連動する第２コンテンツを作製する。そして、情報端末装置１Ａは作製された第２コンテンツを共有サーバ２にアップロードしてネットワーク上で共有する。
【００５９】
再生者であるユーザＢ側の情報端末装置１Ｂは、通信ネットワークを介して共有サーバ２にアクセスし、第２コンテンツを検索して、共有サーバ２から第２コンテンツをダウンロードする。さらに、第２コンテンツに含まれる第１コンテンツのＵＲＬなどの情報に基づいて、共有サーバ４から第１コンテンツをダウンロードやストリーミングにより取得する。その後、情報端末装置１Ｂは、第１コンテンツと第２コンテンツとを組み合わせて再生する。これにより、音楽と、その音楽に連動する触覚コンテンツが全体として１つのコンテンツとして体験されることになる。
【００６０】
共有サーバ３および共有サーバ４は、図４で示した共有サーバ２と同様の構成を有する。共有サーバ３、４の例としては、Ｙｏｕｔｕｂｅ（登録商標）などの音楽や動画の共有手段やＳｐｏｔｉｆｙ（登録商標）などの音楽配信サイトが挙げられる。
【００６１】
［コンテンツ共有システムの動作シーケンス］
次に本実施の形態に係るコンテンツ共有システムの動作シーケンスについて図７を参照して説明する。
【００６２】
まず、共有サーバ３および共有サーバ４のそれぞれには第１コンテンツが記憶されている（ステップＳ２００、ステップＳ２０１）。
【００６３】
次に、ユーザＡ側の情報端末装置１Ａは、共有サーバ３にアクセスし、第１コンテンツの要求指示を送信する（ステップＳ２０２）。例えば、ユーザＡは、音楽配信サイトである共有サーバ３において第１コンテンツを購入済みである、または購入するような場合が該当する。
【００６４】
次に、情報端末装置１Ａは、第１コンテンツを通信ネットワークを介して共有サーバ３からダウンロードする（ステップＳ２０３）。なお、情報端末装置１Ａは、共有サーバ３からストリーミングにより第１コンテンツを取得してもよい。その後、ユーザＡは、第１コンテンツに連動するような触覚コンテンツである第２コンテンツを情報端末装置１Ａにおいて作製する（ステップＳ２０４）。情報端末装置１Ａは、作製された第２コンテンツを通信ネットワークを介して共有サーバ２にアップロードする（ステップＳ２０５）。
【００６５】
なお、第１の実施の形態と同様に、第２コンテンツがアップロードされる際に、情報端末装置１Ａは、第２コンテンツが第１コンテンツに対応することを示す情報を付加する。例えば、第１コンテンツを特定する情報である曲名「楽曲Ａ」、アーティスト名、作詞作曲者名、再生時間などを設定することが挙げられる。
【００６６】
その後、共有サーバ２は、第２コンテンツを記憶する（ステップＳ２０６）。より詳細には、共有サーバ２は、第２コンテンツおよび第２コンテンツに対応する第１コンテンツを特定する情報を互いに関連付けて記憶部２３に記憶する。これにより、第２コンテンツは、ネットワーク上で共有される。
【００６７】
その後、情報端末装置１Ｂは、共有サーバ２に対して第２コンテンツの要求を送信する（ステップＳ２０７）。より詳細には、ユーザＢは、情報端末装置１Ｂの表示画面に表示された、共有サーバ２のソーシャルメディアウェブサイトと関連付けられたアプリケーションソフトウェアにおいて、例えば「楽曲Ａ  触覚」という検索条件を入力する。
【００６８】
共有サーバ２は、検索条件に基づいて記憶部２３においてコンテンツを検索し、検索結果として第２コンテンツを含むコンテンツリストを生成して出力する。ユーザＢ側の情報端末装置１Ｂの表示画面に表示された検索結果から第２コンテンツが選択されて、共有サーバ２から第２コンテンツが取得される（ステップＳ２０８）。
【００６９】
情報端末装置１Ｂは、ダウンロードした第２コンテンツに含まれる第１コンテンツを特定する情報に基づいて、共有サーバ４にアクセスし、第１コンテンツを要求する指示を送る（ステップＳ２０９）。例えば、ユーザＢは、共有サーバ４において第１コンテンツである楽曲Ａを購入済みである場合に、情報端末装置１Ｂは、第１コンテンツを特定する情報に基づいて共有サーバ４から第１コンテンツを要求し、ダウンロードする（ステップＳ２１０）。なお、情報端末装置１Ｂは、ストリーミングにより第１コンテンツを取得してもよい。
【００７０】
また、既に購入済みの第１コンテンツが情報端末装置１Ｂの記憶部１４に記憶されている場合には、情報端末装置１Ｂの制御部１０は、記憶部１４から第１コンテンツを読み出す。
一方、ユーザＢが共有サーバ４において第１コンテンツを未だ購入しておらず、取得できない場合には、情報端末装置１Ｂの表示画面には、第１コンテンツの購入を促す表示がされてもよい。
【００７１】
その後、情報端末装置１Ｂにおいて、第２コンテンツのタイトル、例えば「楽曲Ａ触覚あり」のファイルの再生ボタンがユーザＢの操作により押されると、ダウンロードされた第２コンテンツと同時に第１コンテンツの再生が実行される。これにより、ユーザＢは楽曲コンテンツと触覚コンテンツが同時に再生され、ユーザＢは音楽に連動した触覚コンテンツである所望の体験をすることができる（ステップＳ２１１）。
【００７２】
以上説明したように、第２の実施の形態に係るコンテンツ共有システムによれば、既存のコンテンツである第１コンテンツに対応する第２コンテンツのデータのみが第２コンテンツを作成したユーザＡ側の情報端末装置１Ａから共有サーバ２にアップロードされネットワーク上で共有される。一方、再生者であるユーザＢにおいては、情報端末装置１Ｂで第１コンテンツと第２コンテンツとが別々に取得されて同時に再生される。
【００７３】
そのため、第２コンテンツを作製したユーザＡ側の情報端末装置１Ａにおいては、既存の第１コンテンツに第２コンテンツを埋め込んだコンテンツを共有サーバ２に送信し、ネットワーク上で共有する処理を必要としない。一方、再生者であるユーザＢは、既存の第１コンテンツとオリジナルの第２コンテンツが組み合わさったコンテンツを再生できる。
【００７４】
以上、本発明のコンテンツ共有方法、およびコンテンツ共有システムにおける実施の形態について説明したが、本発明は説明した実施の形態に限定されるものではなく、請求項に記載した発明の範囲において当業者が想定し得る各種の変形を行うことが可能である。
【００７５】
例えば、説明した実施の形態では、第２コンテンツとして触覚データが用いられる場合について説明したが第２コンテンツはこれに限られない。なお、第１コンテンツと第２コンテンツとは、感覚モダリティが異なることがより好ましい。例えば、第１コンテンツが、映像のコンテンツである場合には、第２コンテンツが音楽、触覚、匂いなどのコンテンツであってもよい。
【符号の説明】
【００７６】
１、１Ａ、１Ｂ、１Ｃ…情報端末装置、２、３、４…共有サーバ、１０…制御部、１１…通信部、１２…取得部、１３…送出部、１４…記憶部、１５…提示部、１６…入力部、２０…制御部、２１…通信部、２２…コンテンツ管理部、２３…記憶部。
【図１】
2020017168.tif 000003
【図２】
2020017168.tif 000004
【図３】
2020017168.tif 000005
【図４】
2020017168.tif 000006
【図５】
2020017168.tif 000007
【図６】
2020017168.tif 000008
【図７】
2020017168.tif 000009